(57)【特許請求の範囲】
【請求項１】
一方の端部が開放面となった円筒状で、内周面の円周方向に沿って内歯が形成された第１部材と、
前記内歯と噛合可能な外歯を有したポールと、
前記第１部材の開放面側に積層され、前記第１部材と前記円周方向に相対回転可能に設けられ、前記外歯が前記内歯と噛合するロック位置，前記外歯が前記内歯から離れたアンロック位置の間で前記各ポールを案内するガイド手段が形成された第２部材と、
前記第１部材と前記第２部材との間で、前記相対回転の軸上に回転可能に設けられ、一方の方向に回転すると前記外歯が前記内歯に噛合する方向に前記ポールを移動させるカムと、
を有し、
前記ポールの外歯が前記第１部材の前記内歯に噛合することにより、前記第１部材と第２部材との相対回転が禁止されるリクライニング装置において、
前記第２部材の前記第１部材の底部との対向面にガイド突起を設け、
該ガイド突起の前記相対回転の軸側には、前記カムの外周面を受け、前記カムを回転可能に支持するカム回転支持部が、
前記ガイド突起の前記相対回転の軸と反対側には、前記第１部材の周面を受け、前記第１部材を回転可能に支持する第１部材回転支持部が形成され、
前記ガイド突起は複数あることを特徴とするリクライニング機構。
【請求項２】
前記ガイド突起のカム回転支持部と、第１部材回転支持部とは、前記相対回転の軸方向にラップしていることを特徴とする請求項１記載のリクライニング装置。
【請求項３】
前記第１部材の内部に前記第２部材が位置し、
前記ガイド突起の第１部材回転支持部は、前記第１部材の内周面を受けることを特徴とする請求項１または２記載のリクライニング装置。
【請求項４】
前記ポールは複数有り、
前記ガイド突起は、
前記相対回転の軸を中心とする同心円上に沿った円弧状で、前記複数のポールの間に配置されていることを特徴とする請求項１乃至３のいずれかに記載のリクライニング装置。
【請求項５】
前記第１部材の前記内歯より底面側の内周面に形成され、円周方向に沿った第１ガイド，該第１ガイドより径が小さな第２ガイドと、前記ポールに設けられ、前記第１ガイド，前記第２ガイドに当接可能で、前記第２ガイドに当接すると、前記ポールをアンロック位置に保持する突部とからなるロック解除保持機構を有し、
前記ガイド突起の第１部材回転支持部は、前記第１ガイドを受けることを特徴とする請求項１乃至４のいずれかに記載のリクライニング装置。
【発明の詳細な説明】
【技術分野】
【０００１】
本発明は、一方の端部が開放面となった円筒状で、内周面の円周方向に沿って内歯が形成された第１部材と、前記内歯と噛合可能な外歯を有したポールと、前記第１部材の開放面側に積層され、前記第１部材と前記円周方向に相対回転可能に設けられ、前記外歯が前記内歯と噛合するロック位置，前記外歯が前記内歯から離れたアンロック位置の間で前記各ポールを案内するガイド手段が形成された第２部材と、前記第１部材と前記第２部材との間で、前記相対回転の軸上に回転可能に設けられ、一方の方向に回転すると前記外歯が前記内歯に噛合する方向に前記ポールを移動させるカムと、を有し、前記ポールの外歯が前記第１部材の前記内歯に噛合することにより、前記第１部材と第２部材との相対回転が禁止されるリクライニング装置に関する。
【背景技術】
【０００２】
従来のリクライニング装置の分解斜視図である図６を用いて説明する。
【０００３】
ベースアーム（第２部材）１００の中央部には、回動シャフト１２０の円柱部１２１を回転可能に支持する嵌合穴１０１が中央部に形成され、さらに、この嵌合穴１０１の周囲には、嵌合穴１０１と同軸的に、ラチェット１３０側に突き出た二つの同一形状の断面円弧状支持部１０２，１０３が対向するように形成されている。
【０００４】
一方の端部が開放面となった円筒状のラチェット（第１部材）１３０の中央部の嵌合穴１３１には、断面円弧状支持部１０２，１０３が回転自在に嵌合しており、このため、ベースアーム１００に対してラチェット１３０は傾動可能となっている。そして、ベースアーム１００の外周部とラチェット１３０の外周部とは、取り付け金具２０５により、相対回転可能に接合されている。ラチェット１３０の内周面には、内歯が刻設されている。
【０００５】
ベースアーム１００上の、ラチェット１３０との対向面の上部には、ラチェット１３０に向けてガイド突起１０５，１０６が突設され、下部には、ラチェット１３０に向けてガイド突起１０７，１０８が突設されている。
【０００６】
ポール１４０は、ガイド突起１０５，１０６のガイド面１０５ａ，１０６ａに挟まれて、上記傾動の中心軸と直交する方向に摺動案内され、前端部の外歯１４１がラチェット１３０の内歯に噛合できるように構成されている。ポール１５０についても同様に、ガイド突起１０７，１０８のガイド面１０７ａ，１０８ａに挟まれて、上記傾動の中心軸と直交する方向に摺動案内され、前端部の外歯１５１がラチェット１３０の内歯１３４に噛合できるように構成されている。
【０００７】
回動シャフト１２０の第２の断面小判形部分１２３には、カム１７０の小判穴１７１が嵌合している。このカム１７０には、ベースアーム１００の断面円弧状支持部１０２，１０３が遊嵌する円弧状長穴１７２，１７３が穿設されており、カム１７０はベースアーム１００に対して一定範囲内で回転できるようになっている。
【０００８】
すなわち、カム１７０は、回動シャフト１２０とともに回転し、押圧部１７４，１７５でもって、ポール１４０，１５０の背面１４２，１５２をその外歯１４１，１５１方向に押して、ポール１４０，１５０の外歯１４１，１５１をラチェット１３０の内歯１３３，１３４に噛合させるものである。
【０００９】
このカム１７０には、ラチェット１３０側に突き出た突起１７６，１７７が形成されており、この突起１７６，１７７がレリーズプレート１８０の穴１８１，１８２に嵌合されている。このため、カム１７０とレリーズプレート１８０とは連動して回転することになる。このレリーズプレート１８０には、ポール１４０，１５０の板厚方向の突起１４３，１５３に嵌合する長穴状のカム穴１８３，１８４が形成されており、このカム穴１８３，１８４の形状は、回動シャフト１２０をロック解除方向に回転させたとき、カム穴１８３，１８４のカム面が突起１４３，１５３を押圧し、ポール１４０，１５０を背面側に後退させ、前端部の外歯１４１，１５１をラチェット１３０の内歯１３３、１３４から離脱させるように形成されている。
【００１０】
尚、このような構成のリクライニング装置では、ベースアーム１００の断面円弧状支持部１０２，１０３は、カム１７０，レリーズプレート１８０を挿通して、ラチェット１３０の嵌合穴１３１に嵌合するので、相対回転の軸方向の長さが長くなっている。よって、ベースアーム１００は、鍛造で製造される。
【００１１】
上記構成のリクライニング装置の動作を説明する。通常は、図示しない付勢手段の付勢力により、カム１７０がポール１４０，１５０の背面を押し、ポール１４０，１５０の外歯１４１，１５１がラチェット１３０の内歯１３３，１３４に噛合し、ラチェット(シートバック)１３０の回転が禁止されている(ロック状態)。
【００１２】
付勢手段の付勢力に抗して回動シャフト１２０，カム１７０，レリーズプレート１８０が図１における時計方向に回転する。
【００１３】
すると、カム１７０のポール１４０，１５０の背面への押圧が解除されるとともに、レリーズプレート１８０のカム穴１８３，１８４のカム面がポール１４０，１５０の突起１４３，１５３を押圧し、ポール１４０，１５０を背面側に後退させる。このため、ポール１４０，１５０はガイド突起１０５〜１０８のガイド面１０５ａ〜１０８ａに案内されて、背面側に移動し、ポール１４０，１５０の外歯１４１，１５１とラチェット１３０の内歯１３３，１３４との噛合が解除され、ラチェット(シートバック)１３０は、傾動可能となる(アンロック状態)。
【００１４】
回動シャフト１２０への操作力を解除すると、付勢手段の付勢力により、カム１７０がポール１４０，１５０の背面を押し、ポール１４０，１５０の外歯１４１，１５１がラチェット１３０の内歯１３３，１３４に再び噛合し、ラチェット(シートバック)１３０の回転が禁止された状態に復帰する（例えば、特許文献１参照）。
【先行技術文献】
【特許文献】
【００１５】
【特許文献１】特開２００２−２８２０７８号公報
【発明の開示】
【発明が解決しようとする課題】
【００１６】
しかし、図６に示す構成のリクライニング装置では、ラチェット１３０の嵌合穴１３１が、ベースアーム１００の中央部に形成された嵌合穴１０１の周囲に形成された二つの断面円弧状支持部１０２，１０３に回転可能に嵌合することにより、ベースアーム１００に対してラチェット１３０は傾動可能となっている。しかし、二つの断面円弧状支持部１０２，１０３の径が小さいので、ベースアーム（第２部材）１００と、ラチェット（第１部材）１３０との正確な軸合わせが難しい問題点がある。
【００１７】
また、カム１７０は、ベースアーム１００の嵌合穴１０１に回転可能に支持されているシャフト１２０に設けられている。しかし、嵌合穴１０１の径が小さいので、ベースアーム（第２部材）１００とカム１７０との正確な軸合わせが難しい問題点がある。
【００１８】
本発明は、上記問題点に鑑みてなされたもので、その課題は、第１部材と第２部材、第２部材とカムとの正確な軸合わせができるリクライニング装置を提供することにある。
【課題を解決するための手段】
【００１９】
課題を解決する請求項１に係る発明は、一方の端部が開放面となった円筒状で、内周面の円周方向に沿って内歯が形成された第１部材と、前記内歯と噛合可能な外歯を有したポールと、前記第１部材の開放面側に積層され、前記第１部材と前記円周方向に相対回転可能に設けられ、前記外歯が前記内歯と噛合するロック位置，前記外歯が前記内歯から離れたアンロック位置の間で前記各ポールを案内するガイド手段が形成された第２部材と、前記第１部材と前記第２部材との間で、前記相対回転の軸上に回転可能に設けられ、一方の方向に回転すると前記外歯が前記内歯に噛合する方向に前記ポールを移動させるカムと、を有し、前記ポールの外歯が前記第１部材の前記内歯に噛合することにより、前記第１部材と第２部材との相対回転が禁止されるリクライニング装置において、前記第２部材の前記第１部材の底部との対向面にガイド突起を設け、該ガイド突起の前記相対回転の軸側には、前記カムの外周面を受け、前記カムを回転可能に支持するカム回転支持部が、前記ガイド突起の前記相対回転の軸と反対側には、前記第１部材の周面を受け、前記第１部材を回転可能に支持する第１部材回転支持部が形成され、前記ガイド突起は複数あることを特徴とするリクライニング機構である。
【００２０】
請求項２に係る発明は、前記ガイド突起のカム回転支持部と、第１部材回転支持部とは、前記相対回転の軸方向にラップしていることを特徴とする請求項１記載のリクライニング装置である。
【００２１】
請求項３に係る発明は、前記第１部材の内部に前記第２部材が位置し、前記ガイド突起の第１部材回転支持部は、前記第１部材の内周面を受けることを特徴とする請求項１または２記載のリクライニング装置である。
【００２２】
請求項４に係る発明は、前記ポールは複数有り、前記ガイド突起は、前記相対回転の軸を中心とする同心円上に沿った円弧状で、前記複数のポールの間に配置されていることを特徴とする請求項１乃至３のいずれかに記載のリクライニング装置である。
【００２３】
請求項５に係る発明は、前記第１部材の前記内歯より底面側の内周面に形成され、円周方向に沿った第１ガイド，該第１ガイドより径が小さな第２ガイドと、前記ポールに設けられ、前記第１ガイド，前記第２ガイドに当接可能で、前記第２ガイドに当接すると、前記ポールをアンロック位置に保持する突部とからなるロック解除保持機構を有し、前記ガイド突起の第１部材回転支持部は、前記第１ガイドを受けることを特徴とする請求項１乃至４のいずれかに記載のリクライニング装置である。
【発明の効果】
【００２４】
請求項１に係る発明によれば、前記第２部材の前記第１部材の底部との対向面にガイド突起を設け、該ガイド突起の前記相対回転の軸側には、前記カムの外周面を受け、前記カムを回転可能に支持するカム回転支持部が、前記ガイド突起の前記相対回転の軸と反対側には、前記第１部材の周面を受け、前記第１部材を回転可能に支持する第１部材回転支持部が形成されたことにより、前記ガイド突起のカム回転支持部と相対回転の軸との距離は、カムの外周面と、相対回転の軸との距離となるので、第１部材と第２部材との正確な軸合わせができる。
【００２５】
また、前記ガイド突起の第１部材回転支持部と相対回転の軸との距離は、第１部材の周面と、相対回転の軸との距離となるので、第２部材とカムとの正確な軸合わせがきる。
【００２６】
請求項２に係る発明によれば、前記ガイド突起のカム回転支持部と、第１部材回転支持部とは、前記相対回転の軸方向にラップしていることにより、ガイド突起の突出量を短くでき、第２部材をプレスで製造でき、コストダウンを図れる。
【００２７】
また、リクライニング装置の相対回転の軸方向の厚みを薄くできる。
【００２８】
請求項３に係る発明によれば、前記第１部材の内部に前記第２部材が位置し、前記ガイド突起の第１部材回転支持部は、前記第１部材の内周面を受けることにより、リクライニング装置の相対回転の軸を中心とした径方向の長さを短くできる。また、リクライニング装置の相対回転の軸方向の厚みを薄くできる。
【００２９】
請求項４に係る発明によれば、前記ポールは複数有り、前記ガイド突起は、前記相対回転の軸を中心とする同心円上に沿った円弧状で、前記複数のポールの間に配置されていることにより、前記ガイド突起と相対回転の軸との距離を長く設定できるので、第１部材と第２部材、第２部材とカムとの正確な軸合わせができる。
【００３０】
請求項５に係る発明によれば、前記ガイド突起の第１部材回転支持部は、ロック解除保持機構の第１ガイドを受けることにより、ラチェットの相対回転の軸方向の厚みを薄くでき、リクライニング装置の相対回転の軸方向の厚みを薄くできる。
【図面の簡単な説明】
【００３１】
【図１】本実施形態のリクライニング装置の分解斜視図である。
【図２】図１のリクライニング装置を組み付けた際の矢印Ｃ方向から見た正面図である。
【図３】図２の切断線Ａ−Ａでの断面図である。
【図４】図２の切断線Ｂ−Ｂでの断面図である。
【図５】図２に示すリクライニング装置の作動を説明する図である。
【図６】従来のリクライニング装置の分解斜視図である。
【発明を実施するための形態】
【００３２】
次に図面を用いて本発明の実施の形態を説明する。
【００３３】
図１−図４を用いて、本実施形態のリクライング装置を説明する。図１は本実施形態のリクライニング装置の分解斜視図、図２は図１のリクライニング装置を組み付けた際の矢印Ｃ方向から見た正面図、図３は図２の切断線Ａ−Ａでの断面図、図４は図２の切断線Ｂ−Ｂでの断面図である。
【００３４】
図１−図４において、シートバック側に設けられるラチェット（第１部材）２１は、円板状の板材をプレス加工により形成された有底円筒状で、円形凹部２１ａが形成されている。この円形凹部２１ａは、底面側より小径部２１ｂ、大径部２１ｃが形成されている。大径部２１ｃの内周面には、内歯２３が円周方向全域に形成されている。小径部２１ｂの周面には、図２に示すように、周方向に沿って３カ所の凹部が形成されている。そして、凹部が第１ガイド２１ｅ、凹部以外の周面が第１ガイド２１ｅより径が小さな第２ガイド２１ｆとなっている。また、円形凹部２１ａの中心には、貫通した穴２１ｄが形成されている。
【００３５】
シートクッション側に設けられるベースプレート（第２部材）２５も、円板状の板材をプレスにより形成される、このベースプレート２５の外径は、ラチェット２１の大径部２１ｃの内径（内歯２３の歯先円の径）より若干小さく設定されている。ベースプレート２５の中心には、貫通した穴２５ａが形成されている。
【００３６】
ベースプレート２５のラチェット２１と対向する面には、穴２５ａの中心を中心として半径方向に延びる３つのガイド溝２５ｂが周方向に等ピッチ間隔で形成されている。各ガイド溝２５ｂには、ポール２７が半径方向に移動可能に係合している。ポール２７のラチェット２１の円形凹部２１ａの大径部２１ｃと対向する面には、内歯２３に噛合可能な外歯２７ａが形成されている。
【００３７】
また、各ガイド溝２５ｂの間には、穴２５ａの中心を中心とする同心円上に沿って、円弧状のガイド突起２６が形成されている。このガイド突起２６の外周面は、ラチェット２１の円形凹部２１ａの小径部２１ｂ（第１ガイド２１ｅ、第２ガイド２１ｆ）の内周面を受け、ラチェット２１を回転可能に支持するラチェット回転支持部２６ａとなっている。よって、ベースプレート２５とラチェット２１とは、相対回転可能となっている。この相対回転の軸（図１において線分Ｏで示す）は、ラチェット２１の穴２１ｄの中心、ベースプレート２５の穴２５ａの中心を通るようになっている。
【００３８】
各ポール２７の背面（外歯２７ａが形成された面と反対側の面）には、ポール２７の移動方向と交差する斜面２７ｂを有する凹部２７ｃが形成されている。この凹部２７ｃに、斜面２７ｂに当接可能な面２９ａを有する第２カム２９が配置される。斜面２７ｂは、第２カム２９がベースプレート２５の外周方向に押されると、外歯２７ａが内歯２３に噛合する方向の力と、ポール２７をガイド溝２５ｂの側面に押しつける力とが発生するような面に設定されている。
【００３９】
ラチェット２１とベースプレート２５との間で、相対回転の軸上には、第１カム（カム）３１が配置される。この第１カム３１の外周部には、ベースプレート２５のガイド突起２６の内周面に摺接可能な３つのガイド突起摺接部３１ａが周方向に等ピッチ間隔で形成されている。よって、ガイド突起２６の内周面は、第１カム３１のガイド突起摺接部３１ａを受け、第１カム３１を回転可能に支持する第１カム回転支持部２６ｂとなっている。尚、本実施の形態では、ガイド突起２６の第１カム回転支持部２６ｂと、ラチェット回転支持部２６ａとは、相対回転の軸方向にラップするようにした。
【００４０】
また、第１カム３１の外周部には、第１カム３１が一方の方向に回転すると、第２カム２９を押して、外歯２７ａが内歯２３に噛合する方向にポール２７を移動させる押圧部３１ｂが周方向に等ピッチ間隔で形成されている。
【００４１】
更に、第１カム３１の外周には、ポール２７の第１カム３１（ラチェット２１の底部）と対向する面に形成されたカム溝２７ｄに係合する円柱状の突部３１ｃが周方向に等ピッチ間隔で形成されている。ポール２７のカム溝２７ｄは、第１カム３１が他方の方向に回転すると、外歯２７ａが内歯２３から離れる方向にポール２７を移動させるような形状に形成されている。
【００４２】
ポール２７の第１カム３１と対向する面には、ラチェット２１の円形凹部２１ａの小径部２１ｂ（第１ガイド２１ｅ、第２ガイド２１ｆ）に当接可能な突部２７ｅが形成されている。
【００４３】
この突部２７ｅが小径部２１ｂの第１ガイド２１ｅに当接可能な位置にポール２７が位置している時には、第１カム３１が一方の方向に回転すると、第２カム２９を押して、ポール２７の外歯２７ａとラチェット２１の内歯２３とが噛合可能である。
【００４４】
しかし、突部２７ｅが小径部２１ｂの第２ガイド２１ｆに当接可能な位置にポール２７が位置している時には、第１カム３１が一方の方向に回転すると、ポール２７の外歯２７ａとラチェット２１の内歯２３とが噛合する前に、ポール２７の突部２７ｅが小径部２１ｂの第２ガイド２１ｆに当接し、それ以上のポール２７の移動が禁止される。
【００４５】
第１カム３１の中央部には、断面形状が略小判形の穴３１ｄが形成されている。この穴３１ｄには、断面形状が略小判形の筒状のシャフト３３が嵌合している。断面形状が略小判形（非円形）嵌合により、シャフト３３と第１カム３１とは一体となって回転可能となっている。このシャフト３３の一端側は、ベースプレート２５の穴２５ａを挿通し外部へ突出している。
【００４６】
ベースプレート２５の外部に配置されるスパイラルスプリング３５の内端部はシャフト３３に係合し、外端部はベースプレート２５に係合し、第１カム３１を一方の方向（ポール２７の外歯２７ａがラチェット２１の内歯２３に噛合する方向）に付勢している。
【００４７】
よって、ラチェット２１の円形凹部２１ａの小径部２１ｂの第２ガイド２１ｆと、ポール２７の突部２７ｅとで、ポール２７をアンロック位置に保持するロック解除保持機構が形成されている。
【００４８】
また、ラチェット２１の外周部と、ベースプレート２５の外周部とは、リング状の外周リング３７により挟持され、ラチェット２１とベースプレート２５とは、相対回転の軸（図１においてＯ）方向に分離されることなく、相対回転可能に保持されている。
【００４９】
ここで、上記構成のリクライニング装置の作動を図１−図５を用いて説明する。図５は、図２に示すリクライニング装置の作動を説明する図である。
＜突部２７ｅがラチェット２１の小径部２１ｂの第１ガイド２１ｅに当接可能な位置にポール２７が位置している時＞
通常、スパイラルスプリング３５の付勢力により、ベースプレート２５に設けられたポール２７は、外歯２７ａがラチェット２１の内歯２３に噛合したロック位置にあり、ラチェット（第１部材）２１とベースプレート（第２部材）２５との相対回転は禁止され、シートバックはシートクッションに対して回転ができない状態（ロック状態）にある。
【００５０】
スパイラルスプリング３５の付勢力に抗して、第１カム３１を操作して、他方の方向に回転させると、ポール２７は、外歯２７ａがラチェット２１の内歯２３との噛合が解除されたアンロック位置に移動し（図５参照）、ラチェット（第１部材）２１とベースプレート（第２部材）２５との相対回転が可能となり、シートバックはシートクッションに対して回転可能となる。
【００５１】
第１カムへ３１の操作力を解除すると、スパイラルスプリング３５の付勢力により、ポール２７は、外歯２７ａが、ラチェット２１の内歯２３に噛合し、ラチェット（第１部材）２１とベースプレート（第２部材）２５との相対回転は禁止され、再びロック状態となる。
＜突部２７ｅがラチェット２１の７小径部２１ｂの第２ガイド２１ｆに当接可能な位置にポール２７が位置している時＞
スパイラルスプリング３５の付勢力により、ベースプレート２５に設けられたポール２７の突部２７ｅが、ラチェット２１の７小径部２１ｂの第２ガイド２１ｆに当接し、ポール２７をアンロック位置に保持される。
【００５２】
よって、第１カム３１を他方の方向に回転しなくても、シートバックはシートクッションに対して回転可能となる。この時、ポール２７の突部２７ｄは、ラチェット２１の７小径部２１ｂの第２ガイド２１ｆ上を摺動する。そして、ポール２７の突部２７ｄが、ラチェット２１の７小径部２１ｂの第１ガイド２１ｅに当接可能な位置まで移動すると、スパイラルスプリング３５の付勢力により、ポール２７は、外歯２７ａが、ラチェット２１の内歯２３に噛合し、ラチェット（第１部材）２１とベースプレート（第２部材）２５との相対回転は禁止され、再びロック状態となる。
【００５３】
このよう構成によれば、以下のような効果が得られる。
【００５４】
(1) ガイド突起２６の第１カム回転支持部２６ｂと相対回転の軸Ｏとの距離は、第１カム（カム）３１の外周面と、相対回転の軸Ｏとの距離となるので、ラチェット（第１部材）２１とベースプレート（第２部材）２５との正確な軸合わせができる。
【００５５】
また、ガイド突起２６のラチェット（第１部材）回転支持部２６ａと相対回転の軸Ｏとの距離は、ラチェット２１の小径部２１ｂの内周面と、相対回転の軸Ｏとの距離となるので、ベースプレート２５と第１カム３１との正確な軸合わせがきる。
【００５６】
(2) ガイド突起２６の第１カム回転支持部２６ｂと、ラチェット回転支持部２６ａとは、相対回転の軸Ｏ方向にラップしていることにより、ガイド突起２６の突出量を短くでき、ベースプレート２５をプレスで製造でき、コストダウンを図れる。
【００５７】
また、リクライニング装置の相対回転の軸Ｏ方向の厚みを薄くできる。
【００５８】
(3) ラチェット２１の内部にベースプレート２５が位置し、ガイド突起２６のラチェット回転支持部２６ａは、ラチェット２１の小径部２１ｂの内周面を受けることにより、リクライニング装置の相対回転の軸Ｏを中心とした径方向の長さを短くできる。また、リクライニング装置の相対回転の軸Ｏ方向の厚みを薄くできる。
【００５９】
(4) ポール２７は複数有り、ガイド突起２６は、相対回転の軸Ｏを中心とする同心円上に沿った円弧状で、複数のポール２７の間に配置されていることにより、ガイド突起２６と相対回転の軸Ｏとの距離を長く設定できるので、ラチェット２１とベースプレート２５、ベースプレート２５と第１カム３１との正確な軸合わせができる。
【００６０】
(5) ガイド突起２６のラチェット回転支持部２６ａは、ロック解除保持機構の第１ガイド２１ｅを受けることにより、ラチェット２１の相対回転の軸Ｏ方向の厚みを薄くでき、リクライニング装置の相対回転の軸Ｏ方向の厚みを薄くできる。
【符号の説明】
【００６１】
２１  ラチェット（第１部材）
２５  ベースプレート（第２部材）
２６  ガイド突起
２６ａ  ラチェット(第１部材)回転支持部
２６ｂ  第１カム回転支持部
２７  ポール
３１  第１カム
【図１】
0005731228.tif 000002
【図２】
0005731228.tif 000003
【図３】
0005731228.tif 000004
【図４】
0005731228.tif 000005
【図５】
0005731228.tif 000006
【図６】
0005731228.tif 000007